(57)【要約】【課題】  状況に応じたウェブページに容易にアクセスできる移動通信端末装置を提供する。【解決手段】  通信部１２ｂ、無線タグ３１または近距離無線通信部３２によって受信されたウェブサイト情報に従って、ブラウザ制御部２２は、ブラウザ部２４を制御してウェブサイトにアクセスさせる。また、ブラウザ制御部２２は、現在の時刻、ＧＰＳ測位部３３によって得られた現在位置の緯度経度などに基づいて、ブラウザ部２４のポータルサイトを設定する。【選択図】  図２
2007221479.tif 000002
【特許請求の範囲】
【請求項１】
ウェブサイト情報を受信する受信手段と、
ウェブページにアクセスするブラウザ手段と、
前記ブラウザ手段を制御して、前記受信手段によって受信されたウェブサイト情報によって識別されるウェブページにアクセスさせ、または、そのウェブページをポータルサイトとさせるブラウザ制御手段と
を有することを特徴とする移動通信端末装置。
【請求項２】
ウェブページ情報を記憶する記憶手段と、
ウェブサイト情報を受信する受信手段と、
ウェブページにアクセスするブラウザ手段と、
前記ブラウザ手段を制御して、前記記憶手段によって記憶されたウェブページ情報と前記受信手段によって受信されたウェブサイト情報の中のウェブページ情報とを組み合わせて、その組み合わされたウェブページにアクセスさせる、または、そのウェブページをポータルサイトとさせるブラウザ制御手段と
を有することを特徴とする移動通信端末装置。
【請求項３】
ウェブページ情報を記憶する記憶手段と、
ウェブページにアクセスするブラウザ手段と、
時刻、使用者の予定及び現在位置の内の少なくとも１つによって状況を把握する状況把握手段と、
前記状況把握手段によって把握された状況に適したウェブページを前記記憶手段から検索し、前記ブラウザ手段を制御して、前記検索されたウェブページにアクセスさせる、または、そのウェブページをポータルサイトとさせるブラウザ制御手段と
を有することを特徴とする移動通信端末装置。
【請求項４】
前記受信手段は、マルチキャスト方式によって送信された情報を受信する、無線タグリーダライタによって送信された情報を受信する、または、近距離無線方式によって送信された情報を受信する
ことを特徴とする請求項１または請求項２に記載の移動通信端末装置。
【請求項５】
文字及び画像を出力する出力手段を更に有し、
前記ブラウザ制御手段は、前記移動通信端末装置が待ち受け状態にある場合、前記ブラウザ手段を制御して、前記ウェブページにアクセスさせ、そのアクセスによって得られた情報を前記出力手段に出力させる
ことを特徴とする請求項１ないし請求項３のいずれか１項に記載の移動通信端末装置。
【発明の詳細な説明】
【技術分野】
【０００１】
本発明は、移動通信端末装置に係り、特に、その装置で動作するウェブサイトへのアクセス処理に関する。
【背景技術】
【０００２】
ウェブサイトへアクセスすることができる移動通信端末装置が知られており、その装置によれば数多くのウェブサイトへアクセスすることができる。また、ウェブサイトが複数のウェブページから構成されている場合、移動通信端末装置は、それらのウェブページの中の任意のページにアクセスすることができる。
【０００３】
移動通信端末装置は、使用者が長時間に渡って携帯してあらゆる場所に移動するので、状況に応じたウェブサイトへのアクセスが容易に行われることが望まれている。そこで、例えば、ある地域に位置する場合、その地域の情報が記載されたウェブサイトへのアクセスを容易に行えるようにし、また、昼の間はビジネスに関する情報が記載されたウェブサイトへのアクセスを容易に行えるようにする処理が知られている。
【０００４】
例えば、移動通信端末装置は所在位置や時刻をサーバ装置に送信し、サーバ装置は移動通信端末装置から送信された所在位置や時刻に基づいてウェブページを作成し、そのウェブページを上記移動通信端末装置のポータルサイトとする処理が知られている。ここで、ポータルサイトとは、ブラウザが起動された際、最初にアクセスするウェブページである（例えば、特許文献１参照。）。
【特許文献１】特開２００１−２３６３６８号公報（第２頁、図１）
【発明の開示】
【発明が解決しようとする課題】
【０００５】
しかしながら、上述した特許文献１に開示されている手法では、数多くの移動通信端末装置のポータルサイトを限られた数のサーバ装置が作成することが避けられず、サーバ装置の処理が輻輳する問題点があった。
【０００６】
また、移動通信端末装置が位置する地域の変更や、時刻の変更の都度、その移動通信端末装置のポータルサイトを作成するために、移動通信端末装置とサーバ装置との間の通信による通信料が発生し、また、通信網の輻輳を招く問題点があった。
【０００７】
本発明は上記問題点を解決するためになされたもので、状況に応じたウェブページに容易にアクセスできる移動通信端末装置を提供することを目的とする。
【課題を解決するための手段】
【０００８】
上記目的を達成するために、本発明に係る移動通信端末装置においては、ウェブサイト情報を受信する受信手段と、ウェブページにアクセスするブラウザ手段と、前記ブラウザ手段を制御して、前記受信手段によって受信されたウェブサイト情報によって識別されるウェブページにアクセスさせ、または、そのウェブページをポータルサイトとさせるブラウザ制御手段とを有することを特徴とする。
【０００９】
また、他の発明に係る移動通信端末装置においては、ウェブページ情報を記憶する記憶手段と、ウェブサイト情報を受信する受信手段と、ウェブページにアクセスするブラウザ手段と、前記ブラウザ手段を制御して、前記記憶手段によって記憶されたウェブページ情報と前記受信手段によって受信されたウェブサイト情報の中のウェブページ情報とを組み合わせて、その組み合わされたウェブページにアクセスさせる、または、そのウェブページをポータルサイトとさせるブラウザ制御手段とを有することを特徴とする。
【００１０】
更に、他の発明に係る移動通信端末装置においては、ウェブページ情報を記憶する記憶手段と、ウェブページにアクセスするブラウザ手段と、時刻、使用者の予定及び現在位置の内の少なくとも１つによって状況を把握する状況把握手段と、前記状況把握手段によって把握された状況に適したウェブページを前記記憶手段から検索し、前記ブラウザ手段を制御して、前記検索されたウェブページにアクセスさせる、または、そのウェブページをポータルサイトとさせるブラウザ制御手段とを有することを特徴とする。
【発明の効果】
【００１１】
本発明によれば、状況に応じたウェブページに容易にアクセスできる移動通信端末装置を提供することができる。
【発明を実施するための最良の形態】
【００１２】
以下に、本発明による移動通信端末装置の実施の形態を、図面を参照して説明する。図１は、本発明の実施形態に係る開閉自在の折畳み型移動通信端末装置の、上下筐体の折畳みを開いた時の外観を示し、図１（ａ）は正面図を、図１（ｂ）は側面図を示す。
【００１３】
この第１の移動通信端末装置は、上筐体１と下筐体２とが、ヒンジ部３によって回動自在に連結されてなることによって、上下筐体１、２の角度がほぼ０度（閉状態）からほぼ１８０度（開状態）の間で開閉自在に構成されている。上筐体１の内面には、受話に用いられるスピーカ１４ａと、使用者に操作を促す表示や、使用者が操作した内容の表示や、カーソル位置や、装置の動作状態の表示などに用いられるバックライト付きのＬＣＤ（Liquid Crystal Display）からなる表示部１５とが設置されている。
【００１４】
また、下筐体２の内面には、送話に用いられるマイクロフォン１４ｂが設置されている。下筐体２の内面と側面には、キーパッドからなる入力装置１６が設けられている。また、更に、下筐体２の外面には、通話用電波の送受に用いられるアンテナ１２ａとが設置されている。
【００１５】
入力装置１６は、英数字や文字、記号の入力などに用いられる数字キーと、移動通信端末装置の電源の投入及び切断や、動作指示の入力に用いられる複数の機能キーとを含んでいる。
【００１６】
また、上下筐体１、２が開状態にあるか、または、閉状態にあるかを検出する開閉検出部（図示せず）が設置されて、その開閉検出部から開閉信号が出力されている。ここで、開閉検出部は、上筐体１の内側の所定の位置に凸部を、そして、下筐体２の内側で、上下筐体１、２が閉状態にある場合に上記凸部によって押下される位置に電気的スイッチを設けたものであり、そのスイッチが押下されているか否かによって開閉を検出するが、これに限るものではない。例えば、上筐体１の内部と下筐体２の内部であって、上下筐体１、２が閉状態にある場合に近い距離に位置する場所にそれぞれ磁石を設け、それらの磁石の間に働く磁力の有無を検出するものであり、磁力の有無によって開閉を検出しても良い。
【００１７】
図２は、この移動通信端末装置の構成を示すブロック図である。この移動通信端末装置は、開閉信号３ａが入力され、装置全体の制御を行う制御部１１と、基地局（図示せず）との間で電波の送受信を行う通話用のアンテナ１２ａと、通信部１２ｂと、送受信部１３と、受話用のスピーカ１４ａと、送話用のマイクロフォン１４ｂと、通話部１４ｃと、表示部１５と、入力装置１６と、スケジュール帳１７と、ブラウザ処理部２１と、無線タグ３１と、近距離無線通信部３２と、近距離無線通信のための電波の送受信を行うアンテナ３２ａと、ＧＰＳ（Global Positioning System）測位部３３と、ＧＰＳ衛星から送信された電波の受信を行うアンテナ３３ａとからなる。
【００１８】
ブラウザ処理部２１は、ブラウザ制御部２２と、サイト情報２３と、ブラウザ部２４とからなる。
【００１９】
上記のように構成された、本発明の実施形態に係る移動通信端末装置の各部の動作を、図２を参照して説明する。通信部１２ｂは、アンテナ１２ａが受信した高周波信号を送受信部１３へ出力し、また、送受信部１３から出力される高周波信号をアンテナ１２ａより送信する。
【００２０】
送受信部１３は、通信部１２ｂからの高周波信号を増幅、周波数変換及び復調し、それによって得られたディジタル音声信号を通話部１４ｃへ、また、制御信号を制御部１１に送る。更には、通話部１４ｃから出力されるディジタル音声信号、及び制御部１１から出力される制御信号を変調、周波数変換及び増幅し、高周波信号を得て、それを通信部１２ｂに送る。
【００２１】
通話部１４ｃは、送受信部１３から出力されるディジタル音声信号をアナログ音声信号に変換し、それを増幅して受話用スピーカ１４ａに送る。また、マイクロフォン１４ｂから出力されるアナログ音声信号を増幅し、それをディジタル音声信号に変換して送受信部１３に送信する。
【００２２】
表示部１５は、上下筐体１、２が開状態にある場合に、制御部１１に制御されることで、ブラウザ部２４によってアクセスされたウェブページの情報を含む、文字・数字や画像データの表示動作を行い、表示されているデータは、入力装置１６からの入力操作や着信信号に応答して制御部１１からの指示を受けることで切換わる。なお、上下筐体１、２が閉状態にある場合、制御部１１は、表示部１５の表示動作の制御を行わないため、表示部１５には何も表示されない。
【００２３】
入力装置１６は、ｈｔｍｌ言語（Hyper Text Markup Language）で記述されたウェブページの一部または全部、ＵＲＬ（Uniform Resource Locator）の入力や通信相手の電話番号の指定に用いられる文字キーや数字キーと、複数の機能キーを含むキーからなる。そして、入力装置１６のキーが入力操作されると、そのキー入力を受け付けて、そのキーの識別子が制御部１１に通知され、制御部１１及び制御部１１を経由してその識別子を受信した処理部によって、表示部１５に文字として表示され、または、動作が行われる。
【００２４】
スケジュール帳１７は、年月日を含む時刻と、用件とが対応して記憶された移動通信端末装置の使用者の予定からなる。
【００２５】
ブラウザ制御部２２は、送受信部１３や、無線タグ３１や、近距離無線通信部３２によって受信されたウェブサイト情報や、受信された情報によって作成されたウェブサイト情報や、入力装置１６から入力されたウェブサイト情報をサイト情報２３に記憶し、更に、ブラウザ部２４にサイト情報２３に記憶されたウェブサイト情報を参照してウェブページへアクセスさせる制御を行う。また入力装置１６の所定のキーが操作された場合、制御部１１からの指示に従ってブラウザ部２４を起動する。
【００２６】
サイト情報２３は、ウェブページ情報であって、以下に説明する情報のいずれかである。第１に、ＵＲＬである。第２に、ｈｔｍｌ言語で記述されたウェブページである。第３に、ウェブページの一部である。これらの情報には、位置情報や、時刻情報が付加されていることもある。
【００２７】
ブラウザ部２４は、ウェブサイトにアクセスする装置であり、ブラウザ制御部２２によって起動され、ブラウザ制御部２２によって指示されたウェブページに、または、サイト情報２３にポータルサイトであると設定されて記憶されたウェブページにアクセスする。そして、そのアクセスによって得られた文字・数字及び画像データを表示部１５に出力する。
【００２８】
無線タグ３１は、ＩＣチップ及びアンテナからなり、近隣に位置するリーダライタ（図示せず）から送信された電波を受信することによって起動され、そのリーダライタとの間で送受信を行い、リーダライタから送信された信号を制御部１１に送る。
【００２９】
近距離無線通信部３２は、制御部１１によって、または、近隣に位置する装置（図示せず）から送信された電波をアンテナ３２ａを介して受信することによって起動され、ブルートゥース（登録商標、Bluetooth）方式または近距離ＬＡＮ（Local Area Network）方式によって近隣に位置する装置との間で送受信を行い、近隣に位置する装置から送信された信号を制御部１１に送る。
【００３０】
ＧＰＳ測位部３３は、ＧＰＳ衛星から送信された電波をアンテナ３３ａを介して受信し、その電波がＧＰＳ衛星より送信されてから受信されるまでの時間を測定することによって、移動通信端末装置が位置する場所の緯度及び経度を算出して、制御部１１に送信する。
【００３１】
以下、本発明の移動通信端末装置の動作について説明する。
【００３２】
図３は、ブラウザ制御部２２の第１の制御動作のフローチャートを示す。ブラウザ制御部２２の第１の制御動作は、送受信部１３がマルチキャスト送信された情報を受信した際、無線タグ３１が情報を受信した際、及び、近距離無線通信部３２が情報を受信した際、それらの受信された情報が制御部１１に送られ、そして、それらの情報がウェブサイトに関する情報であることが制御部１１によって検出された場合、制御部１１によって起動されて動作を開始する（ステップＳ２２ａ）。
【００３３】
そして、ブラウザ制御部２２は、制御部１１から上記受信された情報を受信して（ステップＳ２２ｂ）、その情報をサイト情報２３に格納して（ステップＳ２２ｃ）、その情報の種類を調べる（ステップＳ２２ｄ）。そのサイト情報２３がＵＲＬである場合、ブラウザ制御部２２は、ブラウザ部２４を制御して、そのＵＲＬで示されるウェブページにアクセスさせて（ステップＳ２２ｅ）、制御動作を終了する（ステップＳ２２ｆ）。
【００３４】
一方、ステップＳ２２ｄで、そのサイト情報２３がウェブページである場合、ブラウザ制御部２２は、ブラウザ部２４を制御して、そのウェブページにアクセスさせて（ステップＳ２２ｇ）、制御動作を終了する（ステップＳ２２ｆ）。ここで、ウェブページは、ｈｔｍｌ言語によるレイアウト情報と文字情報からなり、ブラウザ部２４によってアクセスされる情報がまとまったものである。そのため、ブラウザ部２４がウェブページにアクセスすると、整った表示が得られる。なお、ウェブページは、画像、音声、動画情報を含んでいても良い。
【００３５】
なお、ステップＳ２２ｇで、ブラウザ制御部２２は、受信されたサイト情報２３に、予めサイト情報２３に記憶されていたｈｔｍｌ言語で記述されたウェブページの一部を組み込んでも良い。ここで、ウェブページの一部は、ウェブページに組み込まれることが想定された情報であり、ｈｔｍｌ言語によるレイアウト情報、文字情報、画像、音声、動画情報の一部または全部からなるが、ブラウザ部２４によってアクセスされた際、整った表示が得られないことがある。
【００３６】
更に、ステップＳ２２ｄで、そのサイト情報２３がｈｔｍｌ言語で記述されたウェブページの一部である場合、ブラウザ制御部２２は、サイト情報２３の中の特定のウェブページ、例えば、ポータルサイトであると設定されたウェブページにそのｈｔｍｌ言語で記述されたウェブページの一部を組み込んで（ステップＳ２２ｈ）、制御動作を終了する（ステップＳ２２ｆ）。
【００３７】
上記ｈｔｍｌ言語で記述されたウェブページの一部を組み込んで、新たなポータルサイトを構築することにより、例えば、使用者にとって有効な広告の表示を常にポータルサイトにアクセスした際の表示に含ませることができ、また、広告主が使用者の通信料の全部または一部を負担することによって、より広くウェブサイトが用いられる。また、ブラウザ制御部２２は、ステップＳ２２ｈで新たなポータルサイトを構築の後、ブラウザ部２４を制御して起動させても良い。
【００３８】
なお、ステップＳ２２ｅ、ステップＳ２２ｇ及びステップＳ２２ｈでブラウザ部２４を制御してウェブページにアクセスさせる際、ブラウザ制御部２２は、制御部１１に指示して、ブラウザ部２４を待ち受けタスクとして動作させても良い。ここで、待ち受けタスクとは、移動通信端末装置が待ち受け状態にある場合にのみ動作するタスク、言い替えると、表示部１５に待ち受け画面が表示される状態で、その画面に代わる表示を行うタスクである。
【００３９】
更に言い替えると、待ち受けタスクとは、移動通信端末装置が通信中、または、その装置で表示部１５に表示を行うタスクが動作中には、動作を中断するタスクである。待ち受けタスクは、上記通信の終了、または、上記表示部１５に表示を行うタスクの動作終了の際は、動作を再開するが、再開しなくとも良い。
【００４０】
なお、ブラウザ部２４を待ち受けタスクとして動作させる際、ブラウザ制御部２２は、スピーカ１４ａまたは着信音発生用スピーカ（図示せず）から所定の音声を発生させ及び／または着信報知用のバイブレータ（図示せず）を振動させることによって、待ち受けタスクの動作開始を報知しても良い。更に、ブラウザ部２４を待ち受けタスクとして動作させる際に限らず、ステップＳ２２ｅ、ステップＳ２２ｇ及びステップＳ２２ｈの動作の際に、ブラウザ制御部２２は、上記報知を行っても良い。
【００４１】
また、ステップＳ２２ｅまたはステップＳ２２ｇでブラウザ部２４を制御してウェブページにアクセスさせる際、ブラウザ制御部２２は、ブラウザ部２４を制御してアクセスさせることに代えて、それぞれ、ＵＲＬまたはウェブページを仮のポータルサイトとしてサイト情報２３に格納するとしても良い。この場合、ブラウザ制御部２２は、ステップＳ２２ｂで得た情報が送受信部１３によって受信されなくなった際、無線タグ３１によって受信されなくなった際、及び、近距離無線通信部３２によって受信されなくなった際、上記仮のポータルサイトの登録を削除する。
【００４２】
また、ブラウザ制御部２２は、再び制御部１１によって起動されて制御動作を開始し、上記情報が受信されない場合、上記仮のポータルサイトの登録を削除する。
【００４３】
なお、ブラウザ制御部２２は、情報が受信されないことの判断にあたり、所定の時間に渡って受信されない場合に受信されないと判断する。即ち、例えば、電波の伝送に障害が生じたために一時的に受信されない場合は、受信されないと判断しない。
【００４４】
また、情報が間欠的に送信されている場合、ブラウザ制御部２２は、その送信の間隔を事前に求め、その間隔に所定の正の整数を乗算した時間に渡って受信されない場合に受信されないと判断する。即ち、例えば、電波の伝送に障害が生じたために間欠的に送信された情報が少数回受信されない場合は、受信されないと判断しない。
【００４５】
なお、ステップＳ２２ｂで受信した情報が送受信部１３、無線タグ３１または近距離無線通信部３２によって受信されなくなった場合、ブラウザ制御部２２は、ステップＳ２２ｅ、ステップＳ２２ｇまたはステップＳ２２ｈで行った制御動作を取り消す制御動作を行う。この取り消す制御動作により、上記受信されなくなったことは、ステップＳ２２ｅ、ステップＳ２２ｇまたはステップＳ２２ｈで行ったアクセスが適切でない範囲に装置が移動したと考えられる場合、そのアクセスを停止することができる。
【００４６】
また、ブラウザ制御部２２は、上記取り消す動作を行わなくとも良い。この取り消す動作を行わないことにより、上記受信されなくなった場合、引き続きステップＳ２２ｅ、ステップＳ２２ｇまたはステップＳ２２ｈで行ったアクセスを続けることができる。
【００４７】
また、ブラウザ制御部２２は、例えば、送受信部１３がマルチキャスト送信された情報を受信することによって行った制御動作は、その動作を取り消す制御動作を行い、無線タグ３１が情報を受信することによって行った制御動作と、近距離無線通信部３２が情報を受信することによって行った制御動作とは、その動作を取り消す制御動作を行わないとしても良い。
【００４８】
更に、ブラウザ制御部２２は、ステップＳ２２ｂで受信した情報がウェブページである場合に行った制御動作は、その動作を取り消す制御動作を行い、その情報がＵＲＬである場合に行った制御動作は、その動作を取り消す制御動作を行わないとしても良い。
【００４９】
このブラウザ制御部２２の第１の制御動作が行われる場合を列挙する。第１に、デパートや、映画館や、アミューズメント施設や、テーマパークなどの施設に専用の基地局を設置し、その基地局から、それぞれの施設が運営しているウェブサイトのホームページのＵＲＬまたはホームページがマルチキャスト送信されている場合、そのマルチキャスト送信された情報が送受信部１３によって受信されることにより、このブラウザ制御部２２の第１の制御動作が行われ、特に、ステップＳ２２ｅまたはステップＳ２２ｇの動作が行われる。
【００５０】
この動作によって、ある施設に移動通信端末装置が移動した場合、その装置の使用者は、無操作で、閉状態にあった上下筐体１、２を開状態にするだけの操作で、または、ブラウザ部２４を起動するだけの操作でその施設が運営しているウェブサイトを選択でき、そのサイトを閲覧することによって、その施設の案内などを知ることができる。
【００５１】
また、マルチキャスト送信されるそれぞれの施設が運営しているウェブサイトのホームページのＵＲＬまたはウェブページは、時刻に依存して変化させることが当然に可能であり、その施設で特別な行事が行われている間だけ、その行事に合わせた情報が送信されるとしても良い。例えば、デパートで特売が行われている場合、アミューズメント施設で特定のショーが行われている場合などである。
【００５２】
第２に、企業の事業所内にパソコンを設置し、そのパソコンからブルートゥース（Ｒ）方式や無線ＬＡＮ方式によって、その企業が運営しているウェブサイトのホームページのＵＲＬまたはホームページが送信されている場合、その送信された情報が近距離無線通信部３２によって受信されることにより、このブラウザ制御部２２の第１の制御動作が行われ、特に、ステップＳ２２ｅまたはステップＳ２２ｇの動作が行われる。
【００５３】
この動作によって、企業の事業所に移動通信端末装置が移動した場合、言い替えると、その装置の使用者が出勤した場合、無操作で、閉状態にあった上下筐体１、２を開状態にするだけの操作で、または、ブラウザ部２４を起動するだけの操作でその企業が運営しているウェブサイトを選択でき、そのサイトを閲覧することによって、その企業からの指示などを知ることができる。ブルートゥース（Ｒ）方式や無線ＬＡＮ方式によって通信する際、認証の動作が可能であることは言うまでもなく、上記ウェブサイトへのアクセスをその企業の従業員が使用する移動通信端末装置に限ることができる。
【００５４】
第３に、駅の構内（特に、改札口。）や、列車内にリーダライタを設置し、そのリーダライタから、その駅を発着する列車の時刻表や運行状況を示す鉄道事業者のウェブサイトのＵＲＬや、その列車の運行状況やその列車から他の列車への乗り換え案内を示す鉄道事業者のウェブサイトのＵＲＬが送信されている場合、この送信された情報が無線タグ３１によって受信されることにより、このブラウザ制御部２２の第１の制御動作が行われ、特に、ステップＳ２２ｅの動作が行われる。
【００５５】
この動作によって、ある駅の構内や列車内に移動通信端末装置が移動した場合、その装置の使用者は、無操作で、閉状態にあった上下筐体１、２を開状態にするだけの操作で、または、ブラウザ部２４を起動するだけの操作で乗車しようとしている、または、乗車中の列車に関する情報を選択でき、その情報を閲覧することができる。
【００５６】
なお、ステップＳ２２ｅまたはステップＳ２２ｇでブラウザ部２４を制御してウェブページにアクセスさせる際、ウェブページに時刻範囲、例えば、９時から１９時などの情報が付属してサイト情報２３に記憶されており、かつ、制御部１１内のクロック（図示せず）から現在の時刻を得て、得た時刻がサイト情報２３に記憶された時刻範囲でない場合、ブラウザ制御部２２は、そのウェブページにアクセスさせないとしても良い。
【００５７】
この処理により、例えば、デパートが運営するウェブサイトに２種類あり、一方は閉店直前、言いかえると閉店までに所定の時間を残していない場合用のウェブサイトであり、他方は閉店までに所定の時間以上を残している場合用のウェブサイトであり、この２種類のウェブサイトを時刻によって選択してアクセスすることが可能になる。
【００５８】
別の例では、鉄道事業者が運営するウェブサイトに２種類あり、一方は平日のダイヤに基づく情報からなり、他方は休日のダイヤに基づく情報からなり、この２種類のウェブサイトを日時によって選択してアクセスすることが可能になる。
【００５９】
図４は、ブラウザ制御部２２の第２の制御動作のフローチャートを示す。ブラウザ制御部２２の第２の制御動作は、所定の時間間隔、例えば、１時間毎に制御部１１によって起動されて動作を開始し（ステップＳ２２ｍ）、制御部１１内のクロックから現在の年月日と時刻とを受信する（ステップＳ２２ｎ）。そして、スケジュール帳１７に現在の年月日と時刻に対応して記憶された移動通信端末装置の使用者の予定によって、現在の状況を判断する（ステップＳ２２ｏ）。
【００６０】
現在の年月日と時刻の予定として、ある地方への旅行を示す情報が記憶されている場合、ブラウザ制御部２２は、使用者の現在の状況はある地方への旅行中であると判断して、その地方の案内のウェブサイトを示すサイト情報２３をポータルサイトに設定して（ステップＳ２２ｐ）、制御動作を終了する（ステップＳ２２ｑ）。ステップＳ２２ｐで、その地方の案内のサイト情報２３に限らず、例えば、旅行業者のウェブサイトを示すサイト情報２３をポータルサイトに設定しても良い。
【００６１】
また、ステップＳ２２ｏで、使用者の状況は旅行中であると判断されたものの、いずれの地方へ旅行中であるかが記憶されていない場合、ブラウザ制御部２２は、ステップＳ２２ｐで、ＧＰＳ測位部３３を制御部１１を介して動作させ、装置が位置する場所の緯度及び経度を得る。そして、得られた緯度及び経度が示す位置を含む位置情報が付加された案内のウェブサイトを示すサイト情報２３にポータルサイトの設定をしても良い。
【００６２】
一方、ステップＳ２２ｏで、現在の年月日と時刻の予定として、会議が記憶されている場合、または、現在の年月日と時刻の予定が記憶されておらず、かつ、現在の年月日と時刻とが平日の勤務時間を示している場合、ブラウザ制御部２２は、使用者の現在の状況は仕事中であると判断して、勤務先である企業のウェブサイトを示すサイト情報２３、または、ビジネスニュースのウェブサイトを示すサイト情報２３をポータルサイトに設定して（ステップＳ２２ｒ）、制御動作を終了する（ステップＳ２２ｑ）。
【００６３】
更に、ステップＳ２２ｏで、上記旅行中でもなく、上記仕事中でもないと判断された場合、例えば、現在の年月日と時刻の予定が記憶されておらず、かつ、現在の年月日と時刻とが平日の勤務時間以外または休日を示している場合（ステップＳ２２ｏの「その他」）、ブラウザ制御部２２は、制御部１１を介してＧＰＳ測位部３３を起動し、移動通信端末装置が位置する緯度及び経度を求める（ステップＳ２２ｓ）。
【００６４】
そして、ブラウザ制御部２２は、求められた緯度及び経度がブラウザ制御部２２内に記憶された勤務先の企業の事業所が位置する場所の緯度及び経度と近いか否かを判断し（ステップＳ２２ｔ）、得られた緯度及び経度と、勤務先である企業の事業所が位置する場所の緯度経度との差を算出して、その差が所定の値以下である場合（ステップＳ２２ｔの「近い」）、ステップＳ２２ｒの勤務先である企業のウェブサイトを示すサイト情報２３、または、ビジネスニュースのウェブサイトを示すサイト情報２３をポータルサイトに設定する動作以降を行う。
【００６５】
一方、上記差が所定の値を超える場合（ステップＳ２２ｔの「その他」）、ブラウザ制御部２２は、所定のサイト情報２３、例えば、使用者の趣味に適ったウェブサイトを示すサイト情報２３をポータルサイトに設定して（ステップＳ２２ｕ）、制御動作を終了する（ステップＳ２２ｑ）。
【００６６】
また、ステップＳ２２ｔで、得られた緯度及び経度がブラウザ制御部２２内に記憶された勤務先の企業の事業所が位置する場所の緯度及び経度から遠く、更に、ブラウザ制御部２２内に記憶された装置の使用者の自宅が位置する場所の緯度及び経度から遠い場合、ブラウザ制御部２２は、使用者の状況は旅行中であると判断して、ステップＳ２２ｐの動作以降の制御動作を行っても良い。
【００６７】
なお、ステップＳ２２ｐ、ステップＳ２２ｒ及びステップＳ２２ｕで行われるポータルサイトの設定に関し、ポータルサイトとして設定されるサイト情報２３は、ＵＲＬであっても良く、また、ウェブページであっても良い。更に、ブラウザ制御部２２は、ポータルサイトの設定に加えて、または、その設定に代えて、ブラウザ部２４を制御して、そのサイトにアクセスさせても良い。
【００６８】
また、ブラウザ制御部２２は、ステップＳ２２ｐ、ステップＳ２２ｒ及びステップＳ２２ｕの動作の際に、スピーカ１４ａまたは着信音発生用スピーカから所定の音声を発生させ及び／または着信報知用のバイブレータを振動させることによって、それらの動作を報知しても良い。
【００６９】
上記説明したブラウザ制御部２２の第２の制御動作により、使用者の現在の状況は、仕事中であるか、旅行中であるか、私的な時間であるかに従って、適切なサイト情報２３がポータルサイトとして設定されるので、使用者は、ブラウザ部２４を起動するのみで、その状況に最適なウェブサイトを選択して、そのサイトにアクセスすることができる。また、ブラウザ制御部２２の第２の制御動作は、ブラウザ制御部２２の第１の制御動作と組み合わせて動作させることもできる。
【００７０】
以上説明したブラウザ制御部２２の制御動作により、使用者にとって最適なウェブサイトに容易にアクセスできるのみならず、ウェブサイトを運営している者にとって、そのウェブサイトを必要としている使用者によるアクセスが増加することになり、好ましい運営が可能となる。
【００７１】
以上の説明では、ブラウザ制御部２２は、ステップＳ２２ｂでウェブサイトに関する情報を受信すると、ステップＳ２２ｄでその情報の種類を調べ、その種類に依存した制御動作をするとしたが、これに限るものではない。例えば、ステップＳ２２ｃでその情報をサイト情報２３に格納する際、その情報が既にサイト情報２３に動作不要である旨と共に記憶されている場合、ステップＳ２２ｄ以降の制御動作を行わずに動作を終了しても良い。
【００７２】
また、以上の説明は、１台の移動通信端末装置は、１名の使用者によって使用されるとしたが、これに限るものではない。複数の使用者によって使用される場合、入力装置１６の所定のキー操作によって使用者を識別する情報が入力されるとし、ブラウザ制御部２２は、使用者毎に異なる制御動作をするとしても良い。また、使用者毎に異なるサイト情報２３が記憶されるとしても良い。更に、使用者に依存して、ブラウザ制御部２２は、上記説明した制御動作の全てを行わず、その動作の一部を行っても良い。また、入力装置１６の所定のキー操作によって、上記説明した制御動作を行うか、または、ブラウザ部２４を制御して起動させる制御動作のみを行うかを切り替えるとしても良い。
【００７３】
また、以上の説明は、本発明の移動通信端末装置を開閉自在の折畳み型移動通信端末装置に適用した形態を例にとって行ったが、本発明の移動通信端末装置は、折畳み型でないバータイプの移動通信端末装置や、携帯型パソコンや、ＰＤＡ（Personal Digital Assistant）など、あらゆるウェブサイト情報を入力する及び／または受信することができ、かつ、ウェブサイトにアクセスすることができる装置に適用することが可能である。その装置は、通話機能の有無を問わない。本発明は以上の構成に限定されるものではなく、種々の変形が可能である。
【図面の簡単な説明】
【００７４】
【図１】本発明の実施形態に係る折畳み型移動通信端末装置の外観図。
【図２】本発明の実施形態に係る折畳み型移動通信端末装置の構成を示すブロック図。
【図３】本発明の実施形態に係るブラウザ制御部の第１の制御動作を示すフローチャート。
【図４】本発明の実施形態に係るブラウザ制御部の第２の制御動作を示すフローチャート。
【符号の説明】
【００７５】
１  上筐体
２  下筐体
３  ヒンジ部
３ａ  開閉信号
１１  制御部
１２ｂ  通信部
１３  送受信部
１５  表示部
１６  入力装置
１７  スケジュール帳
２１  ブラウザ処理部
２２  ブラウザ制御部
２３  サイト情報
２４  ブラウザ部
３１  無線タグ
３２  近距離無線通信部
３３  ＧＰＳ測位部
【図１】
2007221479.tif 000003
【図２】
2007221479.tif 000004
【図３】
2007221479.tif 000005
【図４】
2007221479.tif 000006